(57)【要約】【課題】避難場所になる公園や河川敷等のフェンスに使用され、災害等の緊急時に直ちに担架や資材運搬具として役立てることが可能なフェンス柱を提供する。【解決手段】地中に形成した基礎部に抜き差し可能に立設できる筒状の柱本体２と、柱本体２の外側面に設けられシャックルを設けた固定具４を介してフェンスの面材を着脱可能に取付けるための嵌合溝３と、柱本体２の内側空間部に収納できるシート材５とを備え、通常時は地中に形成した基礎部に立設してネット等のフェンス面材を取付けてフェンス柱として使用し、緊急時に、基礎部から抜出した２本の柱本体２の嵌合溝３に、シート材５の両端部を固定具４を介して取付けることにより、簡単に担架や資材運搬具にもなる運搬具２０を組み立てられる構成とした。【選択図】図７
2008196268.tif 000002
【特許請求の範囲】
【請求項１】
地面に形成した基礎部に抜き差し可能に立設する少なくとも上端開口の筒状の柱本体と、
該柱本体の外側面に設けられてフェンスの面材を着脱可能に取付ける取付け部と、
前記柱本体の内側空間部に取出し可能に収納され前記取付け部に取付け可能なシート材と、
を備えて構成したことを特徴とする運搬具になるフェンス柱。
【請求項２】
前記取付け部は、前記柱本体の外側面の上下方向に形成した嵌合溝である請求項１に記載の運搬具になるフェンス柱。
【請求項３】
前記シート材は、略長方形状で、その長手方向の両端部に芯材を縫込んでガイド部を形成し、該ガイド部を前記嵌合溝に嵌合して柱本体に取付ける構成である請求項２に記載の運搬具になるフェンス柱。
【請求項４】
前記ガイド部は、前記芯材を縫込んだシート材両端部外側を枠部材で覆う構成である請求項３に記載の運搬具になるフェンス柱。
【請求項５】
前記嵌合溝に、当該嵌合溝を上下方向にスライド可能で嵌合溝の任意の位置に固定可能な固定具を介して前記シート材を取付ける構成とした請求項２に記載の運搬具になるフェンス柱。
【請求項６】
前記固定具が、前記嵌合溝にスライド可能に嵌合する嵌合部材と、該嵌合部材に固定したシャックルと、前記嵌合部材を前記嵌合溝の任意の位置に固定する締結具と、を備える構成である請求項５に記載の運搬具になるフェンス柱。
【請求項７】
前記シート材は、略長方形状で、その長手方向の両端部に紐部材を縫込み、該縫込み部に、前記紐部材を適宜の間隔を設けて露出させるための穴部を複数形成して構成し、運搬具として使用する際に、前記両端部の前記紐部材の露出部分を前記固定具のシャックルに取付けるようにした請求項５又は６に記載の運搬具になるフェンス柱。
【請求項８】
前記シート材は、巾着状の袋に収納し、前記袋に設けたフックを介して前記柱本体の内側空間部上端部に吊り下げて収納する構成とした請求項１〜７のいずれか１つに記載の運搬具になるフェンス柱。
【請求項９】
前記柱本体の上端開口部を覆う蓋を有する構成とした請求項１〜８のいずれか１つに記載の運搬具になるフェンス柱。
【発明の詳細な説明】
【技術分野】
【０００１】
本発明は、フェンスの面材を取付けるフェンス柱に関し、特に、緊急時等に担架にもなり資材運搬用としても使用できるようにしたフェンス柱に関する。
【背景技術】
【０００２】
フェンス柱の主な使用場所は、公園、河川敷、校庭、多目的広場等である。このような場所はフェンスが設けられていることが多く、ネット等の面材を取付けるために多くのフェンス柱が使用されている。しかし、フェンスに使用される従来のフェンス柱は、単に面材を支持するためだけのものであった（例えば、特許文献１参照）。
【特許文献１】特開平１１−１０１０２９号公報
【発明の開示】
【発明が解決しようとする課題】
【０００３】
ところで、災害時には担架を必要とすることが多いが、常時使用しない担架は倉庫等に保管されており、折りたたみ式やベッドパット式等コンパクトになるものがあるが、保管時にかさばることから保管できる台数も限られる。このため、前述した公園、河川敷、校庭、多目的広場等は災害時の避難場所になっていることが多いが、担架が必要になった時に直ちに用意できなかったり、数が不足したりすることが考えられる。また、このような雛場所等では緊急資材の運搬作業等も多く、多数の運搬具が必要である。
【０００４】
本発明は上記問題点に着目してなされたもので、災害等の緊急時に直ちに人間や資材の運搬用に役立てることが可能な運搬具になるフェンス柱を提供することを目的とする。
【課題を解決するための手段】
【０００５】
このため、請求項１の発明の運搬具になるフェンス柱は、地面に形成した基礎部に抜き差し可能に立設する少なくとも上端開口の筒状の柱本体と、該柱本体の外側面に設けられてフェンスの面材を着脱可能に取付ける取付け部と、前記柱本体の内側空間部に取出し可能に収納され前記取付け部に取付け可能なシート材と、を備えて構成したことを特徴とする。
【０００６】
かかる構成では、フェンス柱に取付けてあるネット等の面材を取付け部から外し、フェンス柱を基礎部から抜取る。抜取った２本のフェンス柱を運搬具の支持棒として利用し、フェンス柱に収納されているシート材を広げて取付け部に取付ける。これにより、災害時等において簡単に担架にもなり資材の運搬にも利用できる運搬具を組み立てることができる。
【０００７】
請求項２のように、前記取付け部は、前記柱本体の外側面の上下方向に形成した嵌合溝とするとよい。この場合、請求項３のように、前記シート材は、略長方形状で、その長手方向の両端部に芯材を縫込んでガイド部を形成し、該ガイド部を前記嵌合溝に嵌合して柱本体に取付ける構成とするとよい。また、請求項４のように、前記ガイド部は、前記芯材を縫込んだシート材両端部外側を枠部材で覆う構成とするとよい。
【０００８】
請求項５のように、前記嵌合溝に、当該嵌合溝の上下方向にスライド可能で嵌合溝の任意の位置に固定可能な固定具を介して前記シート材を取付ける構成としてもよい。
前記固定具は、請求項６のように、前記嵌合溝にスライド可能に嵌合する嵌合部材と、該嵌合部材に固定したシャックルと、前記嵌合部材を前記嵌合溝の任意の位置に固定する締結具と、を備える構成とするとよい。この場合、請求項７のように、前記シート材は、略長方形状で、その長手方向の両端部に紐部材を縫込み、該縫込み部に、前記紐部材を適宜の間隔を設けて露出させるための穴部を複数形成して構成し、運搬具として使用する際に、前記両端部の前記紐部材の露出部分を前記固定具のシャックルに取付けるようにするとよい。
【０００９】
請求項８のように、前記シート材は、巾着状の袋に収納し、前記袋に設けたフックを介して前記柱本体の内側空間部上端部に吊り下げて収納する構成とするとよい。
また、請求項９のように、前記柱本体の上端開口部を覆う蓋を有する構成とするとよい。
【発明の効果】
【００１０】
本発明によれば、柱本体にシート材を取付けるだけで簡単に担架にもなり資材の運搬にも利用できる運搬具を作ることができるので、災害時等の緊急時に避難場所等に設けるフェンスのフェンス柱に適用することで、避難場所において、即座に且つ簡単にしかも多数担架や資材運搬具を手配することができる。また、通常時はフェンス柱として利用するので、担架や資材運搬具の保管場所を確保する必要がない。
【発明を実施するための最良の形態】
【００１１】
以下、本発明の実施形態を図面に基づいて説明する。
図１〜図４に、本発明に係る運搬具になるフェンス柱の第１実施形態を示し、図１は基礎部に立設したフェンス柱の柱本体の図、図２は柱本体の上面図、図３は、柱本体にフェンスの面材やシート材を固定するための固定具の図、図４は柱本体に収納するシート材の図である。
【００１２】
図１において、本実施形態のフェンス柱１は、柱本体２の取付け部として例えば嵌合溝３を有し、この嵌合溝３に固定具４を介してフェンスの面材（例えばネット等）や後述する図４に示すシート材５を取付ける構成である。
前記柱本体２は、例えばアルミニウム製で、上下端が開口した筒状に形成されている。その外側面には、例えばネット等のフェンスの面材やシート材５を着脱可能に取付けられる図３に示す固定具４を上下方向にスライド可能に嵌合して取付けるための嵌合溝３が、図２に示すように互いに対向する位置に一体形成されている。そして、柱本体２にネット等の面材やシート材５を取付ける際には、前記嵌合溝３の適所、例えば図１の点線で示す間隔を設けた４ヶ所に前記固定具４を固定し、この固定具４を介して取付ける。尚、柱本体２は、アルミニウム製に限るものではなく、柱としての強度を確保できる材料であればよいが、屋外に設置することから耐候性に優れたものが好ましい。また、図４に示すシート材５を収納できるように少なくとも上端が開口した形状であればよく、更に、嵌合溝３は１つでもよい。
【００１３】
固定具４は、図３に示すように、嵌合溝３にスライド可能に嵌合する嵌合部材４Ａと、フェンスの面材やシート材５を着脱可能に取付けるためのシャックル４Ｂと、嵌合部材４Ａを嵌合溝３の任意の位置に固定するための締結具として例えばボルト４Ｃ及び座金４Ｄを備えて構成される。前記ボルト４Ｃは、嵌合部材４Ａに螺合して取付けてある。また、前記シャックル４Ｂは本体とボルトからなり図３に示すように本体部分を嵌合部材４Ａに例えば溶接等により固定する。柱本体２に固定具４を取付ける際には、嵌合部材４Ａを嵌合溝３に挿入し、固定したい位置でボルト４Ｃを締付けることにより、座金４Ｄと嵌合部材４Ａとで嵌合溝３端縁部を挟持して固定具４を柱本体２に固定する。
【００１４】
柱本体２の内側空間部に収納するシート材５は、図４に示すように、シート材質のものを担架にもなるよう長方形状して形成され、その長手方向の両端部には紐部材６を縫込んである。また、紐部材６の両縫込み部には、紐部材６を適宜の間隔を設けて露出させるための穴部５ａが複数、例えば４ヶ所ずつ形成されている。シート材５を柱本体２の内側空間部に収納する際には、図５に示すように、シート材５を丸めて例えば巾着状の袋７内に収納した後、図中の矢印で示すように柱本体２の内側空間部に挿入し、袋７の入り口側に紐で結んだフック８を嵌合溝３に引っ掛けて柱本体２の内側空間部上端部に吊り下げて収納する。そして、蓋９で柱本体２の上端開口部を塞ぐ。
【００１５】
次に、かかるフェンス柱１を利用して運搬具を組み立てる場合について説明する。
通常時のフェンス柱１として用いる場合、シート材５を収納し固定具４を嵌合溝３の例えば図１の点線で示す４ヶ所に予め固定した柱本体２を、砕石１１と、砕石上に設けたコンクリート１２と、コンクリート１２の穴部に嵌込んだ埋設管１３とで構成して地中に設けた基礎部１０（図１に示す）の埋設管１３に挿入して立設する。そして、この柱本体２に、図６に示すようにネット等の面材１５を固定具４のシャックル４Ｂに取付けることにより、フェンスのフェンス柱１となる。尚、図１中、１６は、ストッパーカラーで、嵌合溝３に沿ってスライド可能に柱本体２に取付けられ、柱本体２の立設時に、柱本体２の基礎部１０への挿入長さを調整するためのもので、ボルト１７を締付けることにより、ボルト１７と図示しないナット（嵌合溝３側にある）とで嵌合溝３端縁部を挟持して柱本体２に固定する構成である。
【００１６】
運搬具として利用する場合、面材１５を固定具４から取り外して柱本体２を基礎部１０から抜取る。そして、２本の柱本体２，２に、柱本体２から取出したシート材５を広げて図７に示すように取付ける。柱本体２，２にシート材５を取付けるには、図８に示すように、シャックル４Ｂのボルトを緩めてその螺合部分をシャックル本体から外し、シート材５の穴部５ａに露出している紐部材６部分をシャックル本体部分に引っ掛けた後、ボルトをシャックル本体に螺合させる。このようにしてシート材５の両端部を各柱本体２，２の固定具４に引っ掛けることにより、２本の柱本体２，２を支持棒としてシート材５を取付けた運搬具２０ができる。
【００１７】
このように本実施形態のフェンス柱１によれば、一対の柱本体２にシート材５を取付けるだけで簡単に担架にもなり資材運搬具にもなる運搬具を組み立てることができるので、災害時等の緊急時に避難場所等に設けるフェンスのフェンス柱に適用することにより、避難場所等において即座に且つ簡単にしかも多数の担架や資材運搬具を手配することができ、災害時に極めて有効である。また、通常時はフェンス柱として利用するので、担架や資材運搬具の保管場所を確保する必要がない。
【００１８】
次に、本発明の第２実施形態について説明する。
第２実施形態は、柱本体とシート材の取付け構造が第１実施形態と異なるだけであり、本実施形態は、シート材両端部を柱本体２の取付け部である嵌合溝３に直接挿入する構造である。
【００１９】
図９は、第２実施形態のシート材５の端部の断面図を示す。
本実施形態のシート材５は、図９に示すように、その長手方向の両端部に略四角形状の芯材３１を縫込んで、柱本体２の嵌合溝３に挿入するガイド部５Ａを形成して構成されている。
かかる第２実施形態では、フェンス柱１として使用する際に嵌合溝３に取付けた固定具４を嵌合溝３から全て取除いた後に、図１０に示すようにシート材５両端のガイド部５Ａを嵌合溝３に挿入するだけで、２本の柱本体２，２を支持棒としてシート材５を取付けた図７に示す第１実施形態と同様の運搬具２０ができる。
【００２０】
また、図１１に示すように、前記ガイド部５Ａに、例えばアルミニウム製の枠部材３２を設け、この枠部材３２でシート材５両端部を覆うようにすれば、嵌合溝３にガイド部５Ａを円滑に挿入することができるようになると共に、シート材５両端部の芯材３１を覆っているシート材質の部分を保護してこの部分の破損等を防止できる。
【００２１】
尚、柱本体１とシート材５の取付け構造は、上記の各実施形態に限定されるものではなく、柱本体２にシート材５が取付けられる構造であればよく、柱本体２側の取付け部の構造及びシート材５側の構造は上記各実施形態に限定されない。
また、シート材５が第２実施形態の構成である場合、フェンス面材の柱本体への取付け部分もシート材５と同様な構成にすれば、フェンス組み立て時にも固定具４が不要になる。
【図面の簡単な説明】
【００２２】
【図１】本発明に係るフェンス柱の第１実施形態を示す基礎部に立設した柱本体の図
【図２】柱本体の上面図
【図３】柱本体に取付ける固定具の構成例を示す図
【図４】柱本体に収納するシート材の一例を示す図
【図５】柱本体にシート材を収納する場合の説明図
【図６】フェンス柱として使用したときの使用状態図
【図７】運搬具として組立てた場合の状態図
【図８】図７の柱本体とシート材の取付け部分の拡大図
【図９】本発明に係るフェンス柱の第２実施形態のシート材の要部を示す図
【図１０】図９のシート材の柱本体への取付け状態の説明図
【図１１】シート材端部の別の構成例を示す図
【符号の説明】
【００２３】
１    フェンス柱
２    柱本体
３    嵌合溝
４    固定具
４Ａ    嵌合部
４Ｂ    シャックル
４Ｃ    ボルト
４Ｄ    座金
５    シート材
５Ａ    ガイド部
５ａ    穴部
６    紐部材
７    袋
８    フック
９    蓋
２０    運搬具
３１    芯材
３２    枠部材
【図１】
2008196268.tif 000003
【図２】
2008196268.tif 000004
【図３】
2008196268.tif 000005
【図４】
2008196268.tif 000006
【図５】
2008196268.tif 000007
【図６】
2008196268.tif 000008
【図７】
2008196268.tif 000009
【図８】
2008196268.tif 000010
【図９】
2008196268.tif 000011
【図１０】
2008196268.tif 000012
【図１１】
2008196268.tif 000013